(57)【要約】【課題】作業者に多大な負担をかけることなく多数のパネルそれぞれが、隣接するパネル間同士での相互作用により浮遊移動に向けての修正に必要な作用力を独自に発揮でき、所定数量のどのグル−プのパネル郡であっても整然と浮遊移動なさしめ得る状況を簡易且つ迅速に実現可能とすることを目的とする。【解決手段】  個々の磁力接続可能な水耕栽培用パネル１を構成するパネル部材３それぞれに設けた収容空間９内にマグネット１１を収容して磁力を保持させ、個々のパネル部材３それそれが自ら発する磁力を、前後で隣接する磁力接続可能な水耕栽培用パネル１を構成するパネル部材３間で相互作用させることにより、所定数量の磁力接続可能な水耕栽培用パネル１郡が整然とした浮遊移動に向けての修正に必要な原動力として活用するようにしたものである。【選択図】  図１
2007110934.tif 000002
【特許請求の範囲】
【請求項１】
多数の植付孔が一定間隔で配設されたパネル部材と、該パネル部材の前方側と該前方側と対面する後方側それぞれの内方に収容空間が設けられ該収容空間に回転可能に挿入されたマグネットとから構成されていることを特徴とする磁力接続可能な水耕栽培用パネル。
【請求項２】
多数の植付孔が一定間隔で配設されたパネル部材と、該パネル部材の前方側と該前方側と対面する後方側それぞれの内方、該パネル部材の一側側方側、及び該パネルの他側側方側それぞれの内方に収容空間が設けられ、これら収容空間それぞれに回転可能に挿入されたマグネットとから構成されていることを特徴とする磁力接続可能な水耕栽培用パネル。
【発明の詳細な説明】
【技術分野】
【０００１】
本発明は、多数のパネルが整然と水耕栽培液槽中を浮遊移動となさしめて効率のよい水耕栽培作物の育成を実行可能とすべく、水耕栽培液槽中に投入された多数のパネルが投入直後にスム−ズに接続可能とした磁力接続可能な水耕栽培用パネルに関する。
【背景技術】
【０００２】
従来から、天候に影響されることなく作物を市場に安定供給すること並びに遊休土地の有効をはかるため、水耕栽培に係る技術開発が活発に行われている。例えば、培養液中の好光性微生物の繁殖を抑制し、且つパネルからの反射光による葉焼けを防止する観点から開発された第一の提案（特開平９−２２４５０９）があり、また、栽培作物の生産の前半部の段階においては、比較的狭い間隔での栽培を可能ならしめ、また、中盤をすぎた段階で通常の栽培間隔での栽培に比較的容易に対応することができるようにして、水耕栽培の栽培回転率を高め作付け回数の飛躍的な増加を図る観点から開発された第二の提案（特許第２７９１７８１号）がある。
【０００３】
これら提案が反映された多数のパネルそれぞれは、水耕栽培液槽に浮遊させるためにパネルをどのようにして投入するのかといった開示はされていない。また多数のパネルが培養液槽中を浮遊する段階になると、後続のパネルを浮遊させるには先行して浮遊させた多数のパネルを所定位置に向けて整然と浮遊移動させる必要があるが、この際に、水耕栽培液の移動抵抗があるため大きな力をパネルに作用させる必要があるにもかかわらず、如何にしてパネルに係る力を作用させるかに関する方策も開示されていない。  
【０００４】
このため、図１２叉は図１３に示すように、広大な水耕栽培液槽ａを一定間隔で仕切部材ｂにより、仕切ることにより発芽した直後であって水耕栽培液槽に最初に浸される段階から初期生育段階（以下「第一期育成」という。）の水耕栽培地としての役割を担う第一期育成用分割水耕栽培液槽ａ１、生育進展段階（以下「第二期育成」という。）の水耕栽培地としての役割を担う育成進展用分割水耕栽培液槽ａ２、更に育成を進展させて出荷可能な状態まで育成する段階（以下「出荷育成」という。）の水耕栽培地としての役割を担う出荷育成用分割水耕栽培液槽ａ３として水耕栽培プラントｄ内に合理的に配設されている水耕栽培現場では、下記に説示する方策により水耕栽培液の移動抵抗を制してパネルｃを浮遊移動させている。
【０００５】
図１０乃至図１３に示すように、水耕栽培により水耕栽培作物を育成するプロセスとして、まず、主に、水耕栽培作物ｆが出荷可能な状態まで育成するのに要する時間と出荷計画から決定される一定の育成開始時間間隔で、所定数量でグル−プ化され多数の植付孔ｅそれぞれに発芽した水耕栽培作物ｆが植付けされた先行グル−プのパネルｃ郡を互いに接触なさしめて前記した第一期育成用分割水耕栽培液槽ａ１に投入側ａ１ｒから取出側ａ１ｓに向けて投入側寄り領域に順次浮遊移動可能且つ互いに接触した状態で浮設される。
【０００６】
この後、図１２叉は図１３に示すように、先行して第一期育成用分割水耕栽培液槽ａ１に浮設された所定数量からなる先行グル−プのパネルｃ郡は、遅れて前記した如くして浮設された所定数量からなる後続グル−プのパネルｃ郡それぞれの第一期育成用分割水耕栽培液槽ａ１に投入着水させるための作業者がなす投入側ａ１ｒから取出ａ１ｓ側への押出力の作用により取出側ａ１ｓに玉突き状に押圧されて取出側ａ１ｓに浮遊移動しつつ所要の養分を吸収して発芽した水耕栽培作物ｆは前記した第一期育成がなされる。
【０００７】
係る挙動が所定の育成開始時間間隔で第一期育成用分割水耕栽培液槽ａ１で更に順次実行されると第一期育成用分割水耕栽培液槽ａ１は多数のグル−プのパネルｃ郡で満杯状態となり、最も取出側ａ１ｓに浮遊移動してきた先行グル−プのパネルｃ郡は、互いに接触した状態で浮遊移動して第一期育成用分割水耕栽培液槽ａ１の取出側寄り領域で浮遊されるとともに水耕栽培作物ｆの第一期育成が果たされる。
【０００８】
ついで、図１２に示すように、最も取出側ａ１ｓに浮遊移動してきた先行グル−プのパネルｃ郡を第一期育成用分割水耕栽培液槽ａ１から取出し、水耕栽培液の移動抵抗に打ち勝つ大きな力をパネルｃに作用させる一の方策として押圧シリンダｈを採用して前記した育成進展用分割水耕栽培液槽ａ２の投入側ａ２ｒに設ける。そして、押圧力伝達部材ｋを介して該油圧シリンダｈを構成するピストンｍを水平突出動作なさしめることにより取出側ａ２ｓに作用する押圧力をパネルｃの後方側側面ｃ１に作用させて育成進展用分割水耕栽培液槽ａ２の投入側寄り領域に浮遊移動可能且つ互いに接触した状態で浮設させる（以下「押圧力作用によるパネルの浮遊移動」という。）。
【０００９】
または、水耕栽培液の移動抵抗に打ち勝つ大きな力をパネルｃに作用させる他の方策として、図１３に示すように、巻取装置ｎを採用して育成進展用分割水耕栽培液槽ａ２の取出側ａ２ｓに設けしめ該巻取装置ｎを構成するドラムｊに巻き取られている牽引ロ−プｐの一部を巻き出して投入側ａ２ｒと取出側ａ２ｓ間の略中央部で水平に張った状態で該牽引ロ−プｐの先端部ｐ１を牽引力伝達部材ｒの略中央位置に引掛ける。そして、回転用取手ｓを一側に回転させてドラムｊを一側に回転させることにより牽引ロ−プｐを徐々にドラムｊに巻き込ませて牽引力伝達部材ｒを介して牽引力をパネルｃの後方側側面ｃ１に作用させることにより育成進展用分割水耕栽培液槽ａ２の投入側寄り領域に浮遊移動可能且つ互いに接触した状態で浮設させる（以下「牽引力作用によるパネルの浮遊移動」という。）。
【００１０】
そして、前記した第一期育成の進展により、前記した第一期育成が完了した後続のグル−プのパネルｃ郡を順次第一期育成用分割水耕栽培液槽ａ１から順次取出して投入着水なさしめて前記した育成進展用分割水耕栽培液槽ａ２の投入側ａ２ｒから、押圧力作用によるパネルの浮遊移動又は牽引力作用によるパネルの浮遊移動により、多数のグル−プのパネルｃ郡は、互いに接触した状態で育成進展用分割水耕栽培液槽ａ中を投入側ａ２ｒから取出側ａ２ｓに浮遊移動しつつ所要の養分を吸収して第一期育成が実行された水耕栽培作物ｆが更に育成されて第二期育成が進展する。
【００１１】
係る挙動が所定の育成開始時間間隔で育成進展用分割水耕栽培液槽ａ２で更に順次実行されると、図１２叉は図１３に示すように、育成進展用水耕栽培培養液槽ａ２は多数のグル−プのパネルｃ郡で満杯状態となり、最も取出側ａ２ｓに浮遊移動してきた先行グル−プのパネルｃ１郡では、水耕栽培作物ｆの第二期育成が実行され互いに接触した状態で浮設される。
【００１２】
ついでまた、最も取出側ａ２ｓに浮遊移動してきた先行グル−プのパネルｃ郡を育成進展用分割水耕栽培液槽ａ２から取出し、前記した出荷育成用分割水耕栽培液槽ａ３の投入側ａ３ｒ寄り領域に浮遊移動可能且つ互いに接触した状態で浮設させる。そして、図１２叉は図１３に示すように、前記した前記した第二期育成が完了した多数の後続のグル−プのパネルｃ郡を前記したようにして育成進展用分割水耕栽培液槽ａ２から順次取出して、押圧力作用によるパネルの浮遊移動又は牽引力作用によるパネルの浮遊移動により、前記した出荷育成用分割水耕栽培液槽ａ３の投入側ａ３ｒから前記したようにして浮遊させると、多数の後続のグル−プのパネルｃ郡は、先に出荷育成用分割水耕栽培液槽ａ３に投入された先行グル−プのパネルｃ郡を取出側ａ３ｓに互いに接触した状態で玉突き状に押圧しつつ出荷育成用分割水耕栽培液槽ａ３中を投入側ａ３ｒから取出側ａ３ｓに浮遊移動する。
【００１３】
そして、出荷育成用分割水耕栽培液槽ａ３での前記した出荷育成が進展すると、水耕栽培作物ｆが出荷可能な程度まで育成された状態で所定数量の先行グル−プのパネルｃ郡は、出荷育成用分割水耕栽培液槽ａ３の最も取出側ａ３ｓに浮遊移動してくる。この際に、当該先行グル−プのパネルｃ郡を、出荷育成用分割水耕栽培液槽ａ３の取出側ａ３ｓから引き上げ生育した水耕栽培作物ｆをパネルｃから分離する等所定の出荷作業を実施するための作業場に輸送することになる。係る出荷関連の作業がなされると、当該出荷育成用分割水耕栽培液槽ａ３の取出側ａ３ｓに当該先行のグル−プのパネルｃ郡が占有していた領域が空き状態となる。
【００１４】
また、図１２に示す押圧力作用によるパネルの浮遊移動、又は図１３に示す牽引力作用によるパネルの浮遊移動により、多数の後続のグル−プのパネルｃ郡も出荷育成用分割水耕栽培液槽ａ３の当該空き領域が生じた側に浮遊移動させるが、この間に、順次連続して水耕栽培作物ｆが出荷可能な状態まで育成されて前記した出荷関連の作業が同様になされ、出荷計画に沿った水耕栽培作物ｆの育成・出荷がスム−ズに途切れることなく実施される。
【００１５】
【特許文献１】特開平９−２２４５０９
【特許文献２】特許第２７９１７８１号
【発明の開示】
【発明が解決しようとする課題】
【００１６】
しかるに、図１２に示す水耕栽培プラントｄで行われている前記した押圧力作用によるパネルの浮遊移動によると、パネルｃ郡それぞれを浮遊させるために着水なさしめる際に個々のパネルｃそれぞれの後方側側面ｃ１が整然と育成進展用分割水耕栽培液槽ａ２の投入側ａ２ｒ端や出荷育成用分割水耕栽培液槽ａ３の投入側ａ３ｒ端に等しく投入され難いこと、常に、押圧力を、育成進展用分割水耕栽培液槽ａ２の投入側ａ２ｒ端や出荷育成用分割水耕栽培液槽ａ３の投入側ａ３ｒ端の中心位置を作用点とし且つ取出側ａ２ｓ、ａ３ｓに正確に対面する方向に作用させることが困難である。
【００１７】
このため、これら水耕栽培液槽の投入側ａ２ｒ、ａ３ｒに投入されて着水され投入側端で並列状態にあり投入側端と対面する複数のパネルｃそれぞれの後方側側面ｃ１に対して、押圧力を取出側ａ２ｓ、ａ３ｓに正確に対面する方向に均等且つ同時に作用させることができず、複数のパネルｃそれぞれが押圧力を作用されて取出側ａ２ｓ、ａ３ｓに浮遊移動を開始するのと浮遊移動する距離と方向が区々となり、一のグル−プの所定数量のパネルｃ郡は複数列をなし整然とあたかも連結されような状態で一体となって取出側ａ２ｓ、ａ３ｓに浮遊移動するのは不可能である。
【００１８】
係る浮遊移動状況であるため、浮遊移動する間に所要の栄養分を吸収して水耕栽培作物を育成する場となる当該グル−プを構成する個々のパネルｃに植付けされた水耕栽培作物ｆの育成開始時期の正確な管理、育成開始時期毎の育成状態の把握並びに育成開始時期毎の出荷可能な状態に育成したかの正確な把握が困難となる。このため、発芽から収穫に至るまでパネルｃに植付けされた水耕栽培作物ｆを経済的に浮遊移動をなさしめ、植付けされた水耕栽培作物ｆ全てを適正水準まで効率よく育成して迅速に出荷できないことなり水耕栽培作物ｆを水耕栽培する事業を遂行する上での障害となる。
【００１９】
一方、図１３に示すように、牽引力作用によるパネルの浮遊移動をなさしめる場合であっても、浮遊させるために着水なさしめる際に個々のパネルｃそれぞれの後方側側面ｃ１が整然と育成進展用分割水耕栽培液槽ａ２の投入側ａ２ｒ端や出荷育成用分割水耕栽培液槽ａ３の投入側ａ３ｒ端に等しく投入され難い。また、常に、牽引力を、育成進展用分割水耕栽培液槽ａ２の投入側ａ２ｒ端や出荷育成用分割水耕栽培液槽ａ３の投入側ａ３ｒ端の中心位置を作用点とし且つ取出側ａ２ｓ、ａ３ｓに正確に対面する方向に作用させることが困難であり且つ牽引ロ−プｐが水耕栽培液槽に触れて汚染することを回避する必要から牽引ロ−プｐを常時水平に張った状態を保持することも困難である。
【００２０】
このため、これら水耕栽培液槽の投入側ａ２ｒ、ａ３ｒに投入され並列状態で着水された複数のパネルｃそれぞれの後方側側面ｃ１に対して、牽引力を育成進展用分割水耕栽培液槽ａ２の投入側ａ２ｒ端や出荷育成用分割水耕栽培液槽ａ３の投入側ａ３ｒ端の中心位置を作用点とし且つ取出側ａ２ｓ、ａ３ｓに正確に対面する方向に均等且つ同時に作用させることができないため、前記したと同様な諸問題が発生し、やはり、水耕栽培作物ｆを水耕栽培する事業を遂行する上での障害となる。
【００２１】
また、係る状況を早期に解消するために、たえず、離反し互いに接続されていない浮遊移動状態の改善のために個々のパネルｃに対する浮遊移動状態の監視や、同じグル−プのパネルｃ郡の一部に浮遊移動の過不足が生じて水耕栽培作物ｆの育成にバラツキが生じるのを回避するため人手により強制的に個々のパネルｃを接続なさしめるといった浮遊移動状況の修正を行う必要があった。
【００２２】
本発明は前記した事情に鑑み、作業者に多大な負担をかけることなく多数のパネルそれぞれが隣接するパネル間同士での相互作用により浮遊移動に向けての修正に必要な作用力を独自に発揮でき、所定数量のどのグル−プのパネル郡であっても整然と浮遊移動なさしめ得る状況を簡易且つ迅速に実現可能とすることを目的とする。
【課題を解決するための手段】
【００２３】
前記した目的を達成するために、請求項（１）の発明が講じた解決手段は、個々のパネルそれぞれの浮遊移動させる原動力として外部から作用される押圧力や牽引力を利用せず、個々のパネルそれぞれに磁力を保持させ、個々のパネルそれそれが自ら発する磁力を前後で隣接するパネル間で相互作用させることにより整然とした浮遊移動に向けての修正に必要な原動力として活用するようにしたものである。
【００２４】
具体的には、多数の植付孔が一定間隔で配設されたパネル部材と、該パネル部材の前方側と該前方側と対面する後方側それぞれの内方に収容空間が設けられ該収容空間に回転可能に挿入されたマグネットとから構成された磁力接続可能な水耕栽培用パネルとしたものである。
【００２５】
また、前記した目的を達成するために、請求項（２）の発明が講じた解決手段は、個々のパネルそれぞれが自ら略全周囲で磁力を発するようにして前後で隣接するパネル間のみならず左右で隣接するパネル間でも磁力を相互作用させることにより前記した整然とした浮遊移動に誘導する原動力の発揮と浮遊状況の修正を、より一層確実且つ強力に実行可能としたものである。
【００２６】
具体的には、多数の植付孔が一定間隔で配設されたパネル部材と、該パネル部材の前方側と該前方側と対面する後方側それぞれの内方、該パネル部材の一側側方側、及び該パネルの他側側方側それぞれの内方に収容空間が設けられ、これら収容空間それぞれに回転可能に挿入されたマグネットとから構成された磁力接続可能な水耕栽培用パネルとしたものである。
【発明の効果】
【００２７】
請求項（１）の発明の構成により、水耕栽培作物に対して所要の養分を吸収させて育成する水耕栽培液槽中に投入時に多数のパネルそれぞれ自身の浮遊移動状態が区々であって後に投入されるパネルの玉突き状の押圧状況も区々であることを起因とする浮遊移動方向及び浮遊移動速度が投入されたパネル毎に異なって多数のパネルがスム−ズに浮遊移動不能な状況を、人手や特別の装置を用いることなく、個々のパネルそれぞれが投入直後から磁力により主として前後方向から磁力接続誘導挙動を生起することにより、投入された多数のパネルそれぞれが投入されてから短時間内に自動的に同方向に同浮遊速度で浮遊移動なさしめるように誘導することができる。
【００２８】
係る著効から、同時期に投入されたパネル郡にそれぞれ植付された水耕栽培作物は、水耕栽培液槽中を取出側に浮遊移動しつつ所要の養分を略同程度吸収して同程度に育成させることができる。また、同時期に投入されたパネル郡にそれぞれ植付された水耕栽培作物は、出荷育成用の水耕栽培液槽中を取出側に浮遊移動しつつ所要の養分を吸収し略同時に出荷可能な大きさに育成させることができ、所定の大きさまで等しく育成した水耕栽培作物を高効率に安定して連日出荷することができる。
【００２９】
請求項（２）の発明の構成により、水耕栽培作物に対して所要の養分を吸収させて育成する水耕栽培液槽中に投入時に多数のパネルそれぞれ自身の浮遊移動方向が区々であって入り乱れた状態で浮遊しており後に投入されるパネルの玉突き状の押圧力が先に投入されたパネルそれぞれに対して正確且つ等しく伝達されず多数のパネルがスム−ズに浮遊移動不能な状況を、人手や特別の装置を用いることなく個々のパネルそれぞれが投入された直後からパネルの略全周囲から磁力により磁力接続誘導挙動を生起なさしめることにより、投入された多数のパネルそれぞれが投入されてから短時間内に自動的に同方向に同浮遊速度で浮遊移動なさしめるように誘導することができる。
【００３０】
係る著効から、たとえ投入当初に浮遊移動方向が区々であって入り乱れた状態で浮遊していても早期にスム−ズに浮遊移動可能となして同時期に投入されたパネル郡にそれぞれ植付された水耕栽培作物を、水耕栽培液槽中を取出側に浮遊移動しつつ所要の養分を略同程度吸収して同程度に育成させることができる。また、同時期に投入されたパネル郡にそれぞれ植付された水耕栽培作物は、同様に早期にスム−ズに浮遊移動な状況として出荷育成用のための水耕栽培液槽中を取出側に浮遊移動しつつ所要の養分を吸収し略同時に出荷可能な大きさに育成させることができ、所定の大きさまで等しく育成した水耕栽培作物を高効率に安定して連日出荷することができる。
【発明を実施するための最良の形態】
【００３１】
請求項（１）の発明の構成により、所定数量でグル−プ化され多数の植付孔それぞれに発芽した水耕栽培作物が植付けされた先行グル−プの磁力接続可能な水耕栽培用パネル郡を前記した第一期育成用分割水耕栽培液槽に投入側から取出側に向けて投入側寄り領域に着水させると、投入作業の際に作業者による磁力接続可能な水耕栽培用パネルに対する投入作用力と作用方向のバラツキから、磁力接続可能な水耕栽培用パネルを構成する個々のパネル部材それぞれの前方側側面全てが取出側に正確に対面した状態で着水しない。
【００３２】
このため、着水当初は、個々の磁力接続可能な水耕栽培用パネルは、前後の他の磁力接続可能な水耕栽培用パネルを構成するパネル部材の前側側面と後側側面とが、ずれた位置関係となったり斜め口開き状に対面して傾斜した位置関係となって部分非接触状態となって浮遊移動方向が区々となり、当該投入側寄り領域に着水され一のグル−プを構成する磁力接続可能な水耕栽培用パネル郡全体の浮遊移動列が崩れ浮遊移動方向から外れて雑然とした状態で浮遊を開始する。
【００３３】
しかし、パネル部材の材質がマグネットに吸着されない非磁性であり且つマグネットの磁力線を透過する性質を有する合成樹脂発泡材であることと、前方側と後方側それぞれの内方に設けられている収容空間に回転可能に挿入されているマグネットが異極同士で互いに吸着する作用をなす磁力を発するので、個々のパネル部材の前側側面と該前側側面と対面する後側側面は、ずれた位置関係や口開き状部分非接触を解消して前側側面と後側側面とが全部接触する磁力接続挙動が実行されるので、前後で隣接する磁力接続可能な水耕栽培用パネル間は接続される。
【００３４】
係る磁力の作用による磁力接続誘導挙動が遅れて同一の着水領域や隣接する着水領域にて着水される他の磁力接続可能な水耕栽培用パネルを構成するパネル部材に対しても順次連続して実行されるので、先行して着水された磁力接続可能な水耕栽培用パネルと遅れて着水された磁力接続可能な水耕栽培用パネル同士が磁力により接続される結果、所定数量の磁力接続可能な水耕栽培用パネル郡は複数列で互いに磁力により前側側面と後側側面とが接続された状態で取出側に対して対面状態で第一期育成用分割水耕栽培液槽で浮遊する。
【００３５】
先行して第一期育成用分割水耕栽培液槽において浮遊された所定数量からなる先行グル−プの磁力接続可能な水耕栽培用パネル郡は、遅れて前記した如くして浮遊された所定数量からなる後続グル−プの磁力接続可能な水耕栽培用パネル郡から磁力の作用による接続状態を維持しつつ取出側に玉突き状に押圧されるので、第一期育成用分割水耕栽培液槽中を取出側に浮遊移動しつつ所要の養分を吸収して発芽した水耕栽培作物は前記した第一期育成がなされる。
【００３６】
そして、最も取出側に浮遊移動してきた先行グル−プの磁力接続可能な水耕栽培用パネル郡を第一期育成用分割水耕栽培液槽から取出し、前記した育成進展用分割水耕栽培液槽中で浮遊させるための最初の作業である育成進展用分割水耕栽培液槽の投入側端に作業者の前記した投入作業を実行するが、この際に前記したと同様の投入作用力と作用方向のバラツキから、磁力接続可能な水耕栽培用パネルを構成する個々のパネル部材それぞれの前側側面全てが取出側に正確に対面した状態で着水しない。
【００３７】
このため、着水当初は、個々の磁力接続可能な水耕栽培用パネルは、前後の他の磁力接続可能な水耕栽培用パネルを構成するパネル部材の前側側面と後側側面とが、前記したと同様の部分非接触状態となって浮遊移動方向が区々となり、当該投入側寄り領域に着水され一のグル−プを構成する磁力接続可能な水耕栽培用パネル郡全体の浮遊移動列が崩れ浮遊移動方向から外れて雑然とした状態で浮遊を開始する。しかし、この際にも、前記したマグネットが前記したようにして磁力を発するので、個々のパネル部材の前側側面と該前側側面と対面する後側側面は、前記した部分非接触状態を解消して全面接触する磁力接続挙動が実行されるので、前後で隣接する磁力接続可能な水耕栽培用パネル間は接続される。
【００３８】
そして、係る磁力の作用による磁力接続誘導挙動が、遅れて第一期育成用分割水耕栽培液槽から取出されて育成進展用分割水耕栽培液槽中の同一の着水領域や隣接する着水領域にて着水される他の磁力接続可能な水耕栽培用パネルに対しても順次連続して実行されるので、先行して着水された磁力接続可能な水耕栽培用パネルと遅れて着水された磁力接続可能な水耕栽培用パネル同士が磁力により接続される。この結果、所定数量の磁力接続可能な水耕栽培用パネル郡は、複数列で互いに磁力により接続された状態で取出側に対して対面状態で育成進展用分割水耕栽培液槽中で浮遊する。
【００３９】
この後、先行して育成進展用分割水耕栽培液槽において浮遊された所定数量からなる先行グル−プの磁力接続可能な水耕栽培用パネル郡は、遅れて前記した如くして浮遊された所定数量からなる後続グル−プの磁力接続可能な水耕栽培用パネル郡から磁力の作用による接続状態を維持しつつ取出側に玉突き状に押圧されるので、同グル−プの磁力接続可能な水耕栽培用パネル郡は育成進展用分割水耕栽培液槽中を同時且つ取出側に向けて同方向に同速度で浮遊移動する。このため、同グル−プの磁力接続可能な水耕栽培用パネル郡それぞれに植付けされた水耕栽培作物は等しく所要の養分を吸収して一層同様に育成される。
【００４０】
そして、最も取出側に浮遊移動してきた先行グル−プの磁力接続可能な水耕栽培用パネル郡を育成進展用分割水耕栽培液槽から取出し、前記した出荷育成用分割水耕栽培液槽中で浮遊させるための最初の作業である出荷育成用分割水耕栽培液槽の投入側端からの作業者の前記した投入作業を実行するが、この際にも、前記したと同様の投入作用力と作用方向のバラツキから、磁力接続可能な水耕栽培用パネルを構成する個々のパネル部材それぞれの前側側面全てが取出側に正確に対面した状態で着水しない。
【００４１】
このため、やはり着水当初は、個々の磁力接続可能な水耕栽培用パネルは、前後の他の磁力接続可能な水耕栽培用パネルを構成するパネル部材の前側側面と後側側面とが、前記したと同様の部分非接触状態となって浮遊移動方向が区々となり、当該投入側寄り領域に着水され一のグル−プを構成する磁力接続可能な水耕栽培用パネル郡全体の浮遊移動列が崩れ浮遊移動方向から外れて雑然とした状態で浮遊を開始する。しかし、この際にも、前記したマグネットが前記したようにして磁力を発するので、個々のパネル部材の前側側面と該前側側面と対面する後側側面は、前記した部分非接触状態を解消して全部接触する磁力接続挙動が実行されるので、前後で隣接する磁力接続可能な水耕栽培用パネル間は接続される。
【００４２】
そして、係る磁力の作用による磁力接続誘導挙動が、遅れて育成進展用分割水耕栽培液槽から取出されて出荷育成用分割水耕栽培液槽中の同一の着水領域や隣接する着水領域にて着水される他の磁力接続可能な水耕栽培用パネルに対しても順次連続して実行されるので、先行して着水された磁力接続可能な水耕栽培用パネルと遅れて着水された磁力接続可能な水耕栽培用パネル同士が磁力により接続される。この結果、所定数量の磁力接続可能な水耕栽培用パネル郡は、複数列で互いに磁力により接続された状態で取出側に対して対面状態で出荷育成用分割水耕栽培液槽中で浮遊する。
【００４３】
この後、先行して出荷育成用分割水耕栽培液槽において浮遊された所定数量からなる先行グル−プの磁力接続可能な水耕栽培用パネル郡は、遅れて前記した如くして浮遊された所定数量からなる後続グル−プの磁力接続可能な水耕栽培用パネル郡から磁力の作用による接続状態を維持しつつ取出側に押圧されるので、出荷育成用分割水耕栽培液槽中を取出側に更に浮遊移動しつつ水耕栽培作物は所要の養分を吸収し同じ時期に投入されたグル−プの磁力接続可能な水耕栽培用パネル郡それぞれに植付けされた水耕栽培作物は略同時に出荷可能な大きさに育成される。
【００４４】
そして、後続のグル−プの磁力接続可能な水耕栽培用パネル郡も同様にして連続して整然と複数列をなし接続状態を維持しつつ出荷育成用分割水耕栽培液槽中を取出側に浮遊移動することから、水耕栽培作物は所要の養分を吸収する。このため、一定の時間間隔で投入された各グル−プの磁力接続可能な水耕栽培用パネル郡それぞれに植付けされた水耕栽培作物も略同時に出荷可能な大きさに育成されので、所定の大きさに育成された水耕栽培作物を連続的に出荷可能となる。
【００４５】
請求項（２）の発明の構成により、前記した第一期育成用分割水耕栽培液槽中で浮遊させるための最初の作業である育成進展用分割水耕栽培液槽の投入側端に作業者により前記した投入作業が実行された際の当初、前記した育成進展用分割水耕栽培液槽中で浮遊させるための最初の作業である育成進展用分割水耕栽培液槽の投入側端に作業者により前記した投入作業が実行された際の当初、及び、前記した出荷育成用分割水耕栽培液槽中で浮遊させるための最初の作業である育成進展用分割水耕栽培液槽の投入側端に作業者により前記した投入作業が実行された際の当初それぞれにおいて、前記した作業者による投入作用力と作用方向のバラツキが生じる。
【００４６】
このため、同時期に投入された前記した個々の磁力接続可能な水耕栽培用パネルそれぞれは、前後で隣接する磁力接続可能な水耕栽培用パネルを構成するパネル部材間や左右で隣接する磁力接続可能な水耕栽培用パネルを構成するパネル部材間が前記した部分非接触状態となり、当該投入側寄り領域に着水されて前側側面全てが取出側に正確に対面した状態で着水しないので、同時期に投入された磁力接続可能な水耕栽培用パネル郡全体が雑然とした状態で浮遊を開始する。
【００４７】
しかし、個々の磁力接続可能な水耕栽培用パネルを構成するパネル部材それぞれの略全周囲が、前記したと同様にしてマグネットが異極同士で互いに吸着する作用をなす磁力を発する。このため、前後で隣接する磁力接続可能な水耕栽培用パネル間では後方に位置するパネル部材の前側側面と前方に位置するパネル部材の後側側面の間で該磁力が作用され、また左右で隣接する磁力接続可能な水耕栽培用パネル間では左方に位置するパネル部材の一側側面と右方に位置するパネル部材の他側側面間でも該磁力が作用されるので、これら側面間で磁力の作用による前記した磁力接続誘導挙動が生起する。
【００４８】
このようにして磁力接続誘導挙動が磁力接続可能な水耕栽培用パネルを構成する個々のパネルそれぞれの略全周囲で生起されることから、育成進展用分割水耕栽培液槽中や出荷育成用分割水耕栽培液槽中で浮遊を開始した直後に、前後で隣接する磁力接続可能な水耕栽培用パネル間では後方に位置するパネル部材の前側側面と前方に位置するパネル部材の後側側面とが前記した部分非接触状態を解消して全面接触する磁力接続挙動が実行され、前後で隣接する磁力接続可能な水耕栽培用パネル間が接続される。
【００４９】
また、左右で隣接する磁力接続可能な水耕栽培用パネル間では左方に位置するパネル部材の一側側面と右方に位置するパネル部材の他側側面とが前記した部分非接触状態を解消して全面接触する磁力接続挙動が実行され、左右で隣接する磁力接続可能な水耕栽培用パネル間が接続される。このため、同時期に投入された磁力接続可能な水耕栽培用パネル郡全体が整然とした状態で複数列でもって浮遊を開始する。
【００５０】
係る磁力接続誘導挙動が後続のグル−プの磁力接続可能な水耕栽培用パネル郡についても同様に生起するので、所定数量からなる先行グル−プの磁力接続可能な水耕栽培用パネル郡は、遅れて前記した如くして浮遊された所定数量からなる後続グル−プの磁力接続可能な水耕栽培用パネル郡から磁力の作用による接続状態を維持しつつ取出側に対して対面状態で玉突き状に押圧されて磁力接続可能な水耕栽培用パネル郡全体が整然とした状態で複数列でもって更に取出側に浮遊移動する。
【００５１】
このため、同時期に投入された磁力接続可能な水耕栽培用パネル郡にそれぞれ植付された水耕栽培作物は、第一期育成用分割水耕栽培液槽中を取出側に浮遊移動しつつ所要の養分を略同程度吸収して同程度の前記した第一期育成が果たされ、育成進展用分割水耕栽培液槽中を取出側に浮遊移動しつつ所要の養分を略同程度吸収して同程度の育成が進展され、更に、同時期に投入された磁力接続可能な水耕栽培用パネル郡にそれぞれ植付された水耕栽培作物は、出荷育成用分割水耕栽培液槽中を取出側に浮遊移動しつつ所要の養分を吸収し略同時に出荷可能な大きさに育成される。
【実施例】
【００５２】
つぎに、請求項（１）の発明の好適な一実施例を、図面を参照しながら説明する。
図１は請求項（１）の発明の一実施例に係る磁力接続可能な水耕栽培用パネルを一部切断して上方から見た場合を示し、図２は同磁力接続可能な水耕栽培用パネルを横方向から見た場合を示し、図３は同磁力接続可能な水耕栽培用パネルを下方向から見た場合を示したものである。
【００５３】
図１乃至図３に示すように、３は、材質が合成樹脂発泡材であって外形が薄肉直方体の形状であって裏面側３Ｂの前方側辺３Ｅ近傍と後方側辺３Ｆ近傍にマグネット収容突出部３Ｃを突設なさしめて形成され、表面側３Ａから裏面側３Ｂに向けて根部分７Ｂを裏面側３Ｂから外部に突出なさしめて植付座部材５を介して水耕栽培作物７（例えば、ボストンレタス）が一定間隔で多数植付けられたパネル部材である。
【００５４】
図１及び図３に示すように、該パネル部材３の一側側面３Ｄの前方寄り位置３Ｄ１と他側側面３Ｅの後方寄り位置３Ｅ２それぞれに挿入・閉込め部材収容穴６が設けられている。また、該前方寄り位置３Ｄ１に設けられた挿入・閉込め部材収容穴６と連通なさしめ且つ他側側面３Ｅの前方寄り位置３Ｅ１と間近に対面する位置まで後述するマグネット１１の外径より僅かに大きい内部空間を掘削するとともに、該後方寄り位置３Ｅ２に設けられた挿入・閉込め部材収容穴６と連通なさしめ且つ一側側面３Ｄの後方寄り位置３Ｄ２と間近に対面する位置まで同マグネット１１の外径より僅かに大きい内部空間を掘削することにより、それぞれ収容空間９が設けられている。
【００５５】
図１乃至図３に示すように、１１は、前記パネル部材３の前記した位置二ヶ所にそれぞれ設けられた収容空間９にそれぞれに回転可能に挿入された断面形状が円形のマグネットであり、１３は、材質が前記したパネル部材３と同じ合成樹脂発泡材であってパネル部材３の前記した位置二ヶ所にそれぞれ設けられた挿入・閉込め部材収容穴５それぞれに嵌入可能に形成され、マグネット１１を収容空間９内に閉じ込める役割を担う挿入・閉込め部材である。
【００５６】
図１乃至図３に示すように、前記したパネル部材３と、一対の断面形状が円形のマグネット１１と、一対の挿入・閉込め部材１３と、から請求項（１）の発明の一実施例に係る磁力接続可能な水耕栽培用パネル１が構成されている。
【００５７】
つぎに、請求項（１）の発明の一実施例の実施の形態を、図面を参照しながら説明する。
図４は磁力接続可能な水耕栽培用パネルの浮遊移動が実行される水耕栽培液槽を一部省略して上方からみた場合を示し、図５は前後に隣接する請求項（１）の発明の一実施例に係る磁力接続可能な水耕栽培用パネルが磁力の作用により磁力接続するプロセスを模式的に示したものである。
【００５８】
図１乃至図４に示すように、所定数量でグル−プ化され植付座部材５を介して発芽した水耕栽培作物７が多数植付けされた先行グル−プの磁力接続可能な水耕栽培用パネル１郡を第一期育成用分割水耕栽培液槽１５に投入側１５ｒから取出側１５Ｓに向けて投入側寄り領域に着水させる。
【００５９】
すると、投入作業の際に作業者による磁力接続可能な水耕栽培用パネル１を構成するパネル部材３に対する投入作用力と作用方向のバラツキから、個々のパネル部材３それぞれの前側側面３Ｆ全てが取出側１５Ｓに向けて正確に対面した状態で着水しない。このため、図５に示すように、着水当初は、個々の磁力接続可能な水耕栽培用パネル１は、前後の他の磁力接続可能な水耕栽培用パネル1を構成するパネル部材３の前側側面３Ｆと後側側面３Ｈとが互いにずれた位置関係となったり斜め口開き状に対面して傾斜した位置関係となって部分非接触状態で第一期育成用分割水耕栽培液槽１５中の当該投入側寄り領域に着水される。
【００６０】
しかし、図１乃至図３及び図５に示すように、磁力接続可能な水耕栽培用パネル１を構成するパネル部材３の材質がマグネット１１に吸着されない非磁性であり且つマグネット１１の磁力線を透過する性質を有する合成樹脂発泡材であることと、後方側に位置するパネル部材３の前側側面３Ｆと前方側に位置するパネル部材３の後側側面３Ｈそれぞれの内方に設けられている収容空間９に回転可能に挿入されているマグネット１１が異極同士で互いに吸着する作用をなす磁力を発する。
【００６１】
そして、係る磁力の作用により、当該前側側面３Ｆと当該後側側面３Ｈは吸着して、ずれた位置関係や口開き状部分非接触を解消して当該前側側面３Ｆと該前側側面３Ｆとが全部接触する磁力接続挙動が実行されるので、前後で隣接する磁力接続可能な水耕栽培用パネル１間は接続される。
【００６２】
係る磁力接続挙動が遅れて同一の着水領域や隣接する着水領域にて着水される他の磁力接続可能な水耕栽培用パネル１を構成するパネル部材３に対しても順次連続して実行されるので、先行して着水された磁力接続可能な水耕栽培用パネル１を構成するパネル部材３と遅れて着水された磁力接続可能な水耕栽培用パネル１を構成するパネル部材３同士が磁力により接続誘導される結果、図４に示すように、所定数量の磁力接続可能な水耕栽培用パネル１郡は複数列で互いに磁力により前側側面３Ｅと後側側面３Ｆとが接続された状態で取出側１５Ｓに対して対面状態で第一期育成用分割水耕栽培液槽１５中を浮遊移動する。
【００６３】
図４に示すように、先行して第一期育成用分割水耕栽培液槽１５において浮遊された所定数量からなる先行グル−プの磁力接続可能な水耕栽培用パネル１郡は、遅れて前記した如くして浮遊された所定数量からなる後続グル−プの磁力接続可能な水耕栽培用パネル１を構成するパネル部材３に前記した如くして収容されたマグネット１１からの磁力の作用により接続状態を維持しつつ取出側１５Ｓに押圧されるようにして浮遊移動するので、第一期育成用分割水耕栽培液槽１５中を取出側１５Ｓに浮遊移動しつつ所要の養分を吸収して発芽した水耕栽培作物７は前記した第一期育成がなされる。
【００６４】
そして、最も取出側１５Ｓに浮遊移動してきた先行グル−プの磁力接続可能な水耕栽培用パネル１郡を第一期育成用分割水耕栽培液槽１５から取出し、前記した育成進展用分割水耕栽培液槽１７中で浮遊させるための最初の作業である育成進展用分割水耕栽培液槽１７の投入側１７ｒ端にて作業者の前記した投入作業を実行するが、この際にも、図５に示すように、磁力接続可能な水耕栽培用パネル１を構成するパネル部材３それぞれは前記したと同様にして前後の他の磁力接続可能な水耕栽培用パネル１を構成するパネル部材３の前側側面３Ｆと後側側面３Ｈとが互いにずれた位置関係となったり斜め口開き状に対面して傾斜した位置関係となって部分非接触状態で当該投入側寄り領域に着水される。
【００６５】
すると、図５に示すように、前記したマグネット１１が前記したようにして磁力を発するので、前記した前方側辺３Ｆと後方側辺３Ｈは吸着して、ずれた位置関係や口開き状部分非接触を解消して前側側面３Ｆと後側側面３Ｈとが全部接触する磁力接続挙動が実行されるので、育成進展用分割水耕栽培液槽１７中の投入側寄り領域で前後で隣接する磁力接続可能な水耕栽培用パネル１間は接続される。
【００６６】
そして、係る磁力の作用による磁力接続挙動が、遅れて第一期育成用分割水耕栽培液槽１５から取出されて育成進展用分割水耕栽培液槽１７中の同一の着水領域や隣接する着水領域にて着水される他の磁力接続可能な水耕栽培用パネル１を構成するパネル部材３に対しても順次連続して実行されるので、先行して着水された磁力接続可能な水耕栽培用パネル１と遅れて着水された磁力接続可能な水耕栽培用パネル１同士が磁力により接続される。この結果、図４に示すうに、所定数量の磁力接続可能な水耕栽培用パネル１郡は、複数列で互いに磁力により接続された状態で取出側１７Ｓに対して対面状態で育成進展用分割水耕栽培液槽１７中で浮遊する。
【００６７】
この後、図４に示すように、先行して育成進展用分割水耕栽培液槽１７において浮遊された所定数量からなる先行グル−プの磁力接続可能な水耕栽培用パネル１郡は、遅れて前記した如くして浮遊された所定数量からなる後続グル−プの磁力接続可能な水耕栽培用パネル１を構成するパネル部材３に前記したようにして収容されたマグネット１１からの磁力の作用による接続状態を維持しつつ取出側１７Ｓに押圧されるので、育成進展用分割水耕栽培液槽１７中を取出側１７Ｓに浮遊移動しつつ水耕栽培作物７は所要の養分を吸収して一層育成される。
【００６８】
そして、図４に示すように、最も取出側１７Ｓに浮遊移動してきた先行グル−プの磁力接続可能な水耕栽培用パネル１郡を育成進展用分割培養液槽１７から取出し、前記した出荷育成用分割培養液槽１９中で浮遊させるための最初の作業である出荷育成用分割培養液槽１９の投入側１９ｒ端からの作業者の前記した投入作業を実行する。
【００６９】
しかし、この際にも、前記した投入作業上の問題から、図５に示すように、着水当初は、個々の磁力接続可能な水耕栽培用パネル１は、前後の他の磁力接続可能な水耕栽培用パネル1を構成するパネル部材３の前側側面３Ｆと後側側面３Ｈとが互いにずれた位置関係となったり斜め口開き状に対面して傾斜した位置関係となって部分非接触状態で出荷育成用分割水耕栽培液槽１９中の投入側寄り領域に着水される。
【００７０】
すると、図５に示すように、前記したマグネット１１が前記したようにして磁力を発するので、前記した前方側辺３Ｆと後方側辺３Ｈは吸着して、ずれた位置関係や口開き状部分非接触を解消して前側側面３Ｆと後側側面３Ｈとが全部接触する磁力接続挙動が実行されるので、出荷育成用分割水耕栽培液槽１９中の投入側寄り領域で前後で隣接する磁力接続可能な水耕栽培用パネル１間は接続される。
【００７１】
そして、係る磁力の作用による磁力接続挙動が、遅れて育成進展用分割水耕栽培液槽１７から取出されて出荷育成用分割水耕栽培液槽１９中の同一の着水領域や隣接する着水領域にて着水される他の磁力接続可能な水耕栽培用パネル１に対しても順次連続して実行されるので、先行して着水された磁力接続可能な水耕栽培用パネル１と遅れて着水された磁力接続可能な水耕栽培用パネル１同士が磁力の作用により接続される。この結果、図４に示すように、所定数量の磁力接続可能な水耕栽培用パネル１郡は、複数列で互いに磁力により接続された状態で取出側１９Ｓに対して対面状態で出荷育成用分割水耕栽培液槽１９中を浮遊する。
【００７２】
この後、先行して出荷育成用分割水耕栽培液槽１９において浮遊された所定数量からなる先行グル−プの磁力接続可能な水耕栽培用パネル１郡は、遅れて前記した如くして浮遊された所定数量からなる後続グル−プの磁力接続可能な水耕栽培用パネル１から磁力の作用による接続状態を維持しつつ取出側１９Ｓに玉突き状に押圧されるので、出荷育成用分割水耕栽培液槽１９中を取出側１９Ｓに浮遊移動しつつ作物は所要の養分を吸収して出荷可能な大きさに育成される。
【００７３】
つぎに、請求項（２）の発明の好適な一実施例を、図面を参照しながら説明する。
図６は請求項（２）の発明の一実施例に係る磁力接続可能な水耕栽培用パネルを一部切断して上方から見た場合を示し、図７は同磁力接続可能な水耕栽培用パネルを横方向から見た場合を示し、図８は同磁力接続可能な水耕栽培用パネルを下方から見た場合を示したものである。
【００７４】
図６乃至図８に示すように、２１は、材質が合成樹脂発泡材の薄肉直方体の外形形状であって裏面側２１Ｂ端近傍全周囲の所定幅が下方に突出なさしめてマクネット収容突出部２１Ｃが突設なさしめて形成され、表面側２１Ａから裏面側２１Ｂに向けて根部分７Ｂを裏面側２１Ｂから外部に突出なさしめて植付座部材５を介して水耕栽培作物７（例えば、ボストンレタス）が一定間隔で多数植付けられたパネル部材である。
【００７５】
図６及び図８に示すように、該パネル部材２１のマグネット収容突出部２１Ｃが突設された位置であって一側側面２１Ｄの前方寄り位置２１Ｄ１と他側側面２１Ｅの後方寄り位置２１Ｅ２それぞれに挿入・閉込め部材収容穴２３が設けられている。また、マグネット収容突出部２１Ｃが突設された位置であって、該前方寄り位置２１Ｄ１に設けられた挿入・閉込め部材収容穴２３と連通なさしめ且つ他側側面２１Ｅの前方寄り位置２１Ｅ１と対面なさしめて請求項（１）の発明の一実施例において説示したと同質のマグネットの一例である後述する短辺マグネット２５の外径より僅かに大きい内部空間を掘削するとともに該後方寄り位置２１Ｅ２に設けられた挿入・閉込め部材収容穴２３と連通なさしめ且つ一側側面２１Ｄの後方寄り位置２１Ｄ２と対面なさしめて同短辺マグネット２５の外径より僅かに大きい内部空間を掘削してそれぞれ短辺側収容空間２７が設けられている。
【００７６】
更に、図６及び図８に示すように、マグネット収容突出部２１Ｃが突設された位置であって、該パネル部材２１の前側側面２１Ｆの左方寄り位置２１Ｆ１と後側側面２１Ｈの右方寄り位置２１Ｈ２それぞれに挿入・閉込め部材収容穴２３が設けられている。更にまた、マグネット収容突出部２１Ｃが突設された位置であって、該左方寄り位置２１Ｆ１に設けられた挿入・閉込め部材収容穴２３と連通なさしめ且つ後側側面２１Ｈの左方寄り位置２１Ｈ１と対面なさしめて請求項（１）の発明の一実施例において説示したと同質のマグネットの他の例である後述する長辺マグネット２９の外径より僅かに大きい内部空間を掘削するとともに後側側面２１Ｆの右方寄り位置２１Ｆ２に設けられた挿入・閉込め部材収容穴２３と連通なさしめ且つ前側側面２１Ｆの右方寄り位置２１Ｆ２と対面なさしめて同長辺マグネット２９の外径より僅かに大きい内部空間を掘削することにより、それぞれ長辺側収容空間３１が設けられている。
【００７７】
図６乃至図８に示すように、２５は、前記パネル部材２１の内部の前後二箇所に前記したようにして設けられた短辺側収容空間２７それぞれに回転可能に挿入された断面形状が円形の短辺マグネットであり、２９は、前記パネル部材２１の内部の左右二箇所に前記したようにして設けられた長辺側収容空間３１それぞれに回転可能に挿入された断面形状が円形の長辺マグネットである。
【００７８】
また、３３は、前記パネル部材２１と同じ合成樹脂発泡材であってパネル部材２１の前記した各側面四箇所に前記したようにしてそれぞれ設けられた挿入・閉込め部材収容穴２３それぞれに嵌入可能に形成され、短辺マグネット２５を短辺側収容空間２７に長辺マグネット２９を長辺側収容空間３１内にそれぞれ閉じ込める役割を担う挿入・閉込め部材である。
【００７９】
図６及び図８に示すように、前記したパネル部材２１と、一対の断面形状が円形の短辺マグネット２５と、一対の断面形状が円形の長辺マグネット２９と、四つの挿入・閉込め部材３３と、から請求項（２）の発明の一実施例に係る磁力接続可能な水耕栽培用パネル２０が構成されている。
【００８０】
つぎに請求項（２）の発明の一実施例の実施の形態を、図面を参照しながら説明する。図９は前後位置と左右位置間において隣接する請求項（２）の発明の一実施例に係る磁力接続可能な水耕栽培用パネルが磁力の作用により互いに磁力接続するプロセスを模式的に示したものである。
【００８１】
図４に示すように、前記した育成進展用分割水耕栽培液槽１７中で浮遊させるため作業者が育成進展用分割水耕栽培液槽１７の投入側１７ｒ端からから取出側１７Ｓに向けて一のグル−プの磁力接続可能な水耕栽培用パネル２０を連続して投入して投入側１７ｒ投入側寄り領域に着水させる。すると、投入作業の際に作業者による磁力接続可能な水耕栽培用パネル２０を構成するパネル部材２１に対する投入作用力と作用方向のバラツキから、個々のパネル部材２１それぞれの前側側面２１Ｆ全てが取出側１７Ｓに向けて正確に対面した状態で着水しない。
【００８２】
このため、図４及び図９に示すように、着水当初は、同時期に投入された一のグル−プの磁力接続可能な水耕栽培用パネル２０それぞれを構成するパネル部材２１それぞれは、前後で隣接する磁力接続可能な水耕栽培用パネル２０間では前方側に位置する一のパネル部材２１の後側側面２１Ｈと後方側に位置する他のパネル２１の前側側面２１Ｆとが互いにずれた位置関係となったり斜め口開き状に対面して傾斜した位置関係となって部分非接触状態となり、一のグル−プを構成する個々のパネル２１全体の縦方向の列が崩れ浮遊移動方向から外れた方向に育成進展用分割水耕栽培液槽１７中を浮遊移動する状態となる。
【００８３】
また、図６及び図９に示すように、左右で隣接する磁力接続可能な水耕栽培用パネル２０間では、前記したパネル部材２１に対する投入作用力と作用方向のバラツキから、着水当初は、右側に位置する一の磁力接続可能な水耕栽培用パネル２０を構成するパネル部材２１の他側側面２１Ｅと左側に位置する他の磁力接続可能な水耕栽培用パネル２０を構成するパネル部材２１の一側側面２１Ｄとが互いにずれた位置関係となったり斜め口開き状に対面して傾斜した位置関係となって部分非接触状態となり、一のグル−プの磁力接続可能な水耕栽培用パネル２０全体の横方向の列が崩れ育成進展用分割水耕栽培液槽１７中を浮遊移動方向から外れて浮遊移動する状態となる。
【００８４】
更に、図９に示すように、一のグル−プの磁力接続可能な水耕栽培用パネル２０それぞれが前後で隣接した際の前記した縦方向の列の崩れと、一のグル−プの磁力接続可能な水耕栽培用パネル２０それぞれが左右で隣接する際の前記した横方向の列の崩れが共に生じ、一のグル−プの磁力接続可能な水耕栽培用パネル２０全体が育成進展用分割水耕栽培液槽１７中を蛇行状態で浮遊移動方向から大きく外れて浮遊移動する状態となる。
【００８５】
しかし、図６及び図９に示すように、前記した縦方向の列が崩れ浮遊移動方向から外れた方向に浮遊移動する状態となった場合には、主として前後で隣接する磁力接続可能な水耕栽培用パネル２０間で、パネル部材２１の材質が短辺マグネット２５に吸着されない非磁性であり且つ短辺マグネット２５の磁力線を透過する性質を有する合成樹脂発泡材であることと、後方側に位置する磁力接続可能な水耕栽培用パネル２０を構成するパネル部材２１の前側側面２１Ｆと前方側に位置する磁力接続可能な水耕栽培用パネル２０を構成するパネル部材２１の後側側面２１Ｈそれぞれの内方に設けられている短辺側収容空間２７に回転可能に挿入されている短辺マグネット２５が異極同士で互いに吸着する作用をなす磁力を発する。
【００８６】
そして、係る磁力の作用により、ずれた位置関係や口開き状部分非接触を解消して当該前側側面２１Ｆと該後側側面２１Ｈとが全部接触する磁力接続挙動が実行されるので、前後で隣接する磁力接続可能な水耕栽培用パネル２０間は接続される。
【００８７】
このため、図９に示すように、一のグル−プの磁力接続可能な水耕栽培用パネル２０全体による縦方向の列が崩れた状態での浮遊移動が修正され、一のグル−プの個々の磁力接続可能な水耕栽培用パネル２０全体は、当該修正後直ちに取出側１７Ｓに正確に対面する浮遊移動方向を指向した浮遊移動をする。
【００８８】
また、前記した横方向の列が崩れ浮遊移動方向から外れた方向に浮遊移動する状態となった場合には、主として左右で隣接する磁力接続可能な水耕栽培用パネル２０間では、前記したパネル部材２１の特性と材質であることと、右側に位置する一の磁力接続可能な水耕栽培用パネル２０を構成するパネル部材２１の他側側面２１Ｅと左側に位置する他の磁力接続可能な水耕栽培用パネル２０を構成するパネル部材２１の一側側面２１Ｄそれぞれの内方に設けられている長辺側収容空間３１に回転可能に挿入されている長辺マグネット２９が異極同士で互いに吸着する作用をなす磁力を発する。
【００８９】
そして、かかる磁力の作用により、ずれた位置関係や口開き状部分非接触を解消して当該他側側辺２１Eと当該一側側面２１Ｄとが全部接触する磁力接続挙動が実行されるので、左右で隣接する磁力接続可能な水耕栽培用パネル２０間は接続される。
【００９０】
このため、一のグル−プの磁力接続可能な水耕栽培用パネル２０全体による横方向の列が崩れた状態での浮遊移動が修正され、一のグル−プの磁力接続可能な水耕栽培用パネル２０全体は、当該修正後直ちに取出し側と正確に対面する浮遊移動方向を指向した浮遊移動を開始する。
【００９１】
更に、図６及び図９に示すように、前記した縦方向の列の崩れと横方向の列の崩れが共に生じ、磁力接続可能な水耕栽培用パネル２０の一のグル−プ全体が蛇行状態で浮遊移動方向から大きく外れた浮遊移動する状態となった場合には、前記した如く前後で隣接する磁力接続可能な水耕栽培用パネル２０間では構成要素であるパネル部材２１間で短辺側収容空間２７に回転可能に挿入されている短辺マグネット２５が異極同士で互いに吸着する磁力を作用するとともに、左右で隣接する磁力接続可能な水耕栽培用パネル２０間では構成要素であるパネル部材２１間で長辺側収容空間３１に回転可能に挿入されている長辺マグネット２９が異極同士で互いに吸着する磁力を作用する。
【００９２】
このようにして磁力の作用による磁力吸着誘導が磁力接続可能な水耕栽培用パネル２０を構成するパネル部材２１それぞれの略全周囲で生起されることから、前記した前側側面２１Ｆと後側側面２１Ｈは吸着して、ずれた位置関係や口開き状部分非接触を解消して当該前方側辺２１Ｆと該前方側辺２１Ｆとが全部接触するとともに、前記した他側側面２１Eと一側側面２１Ｄは吸着して、ずれた位置関係や口開き状部分非接触を解消して当該他側側面２１Ｅと一側側面２１Ｄとが全部接触する。すると、前後で隣接する磁力接続可能な水耕栽培用パネル２０間は接続され、且つ、左右で隣接する磁力接続可能な水耕栽培用パネル２０間は接続される。
【００９３】
このため、一のグル−プである磁力接続可能な水耕栽培用パネル２０それぞれが前後で隣接した際の前記した縦方向の列の崩れと、左右で隣接する際の前記した横方向の列の崩れが共に修正されて規則正しい複数列で隣接する磁力接続可能な水耕栽培用パネル２０同士が接続されることから、育成進展用分割水耕栽培液槽１７中や出荷育成用分割水耕栽培液槽１９中で浮遊を開始した直後に、蛇行状態で浮遊移動方向から大きく外れた浮遊移動態様が迅速に修正され、直ちに同時期に投入された磁力接続可能な水耕栽培用パネル２０郡全体が整然とした状態で複数列でもって取出側１７Ｓ、１９Ｓと対面する浮遊移動方向を指向した浮遊移動を開始する。
【００９４】
係る磁力接続誘導が後続のグル−プの磁力接続可能な水耕栽培用パネル２０郡についても同様に生起するので、所定数量からなる先行グル−プの磁力接続可能な水耕栽培用パネル２０郡は、遅れて前記した如くして浮遊された所定数量からなる後続グル−プの磁力接続可能な水耕栽培用パネル２０郡から磁力の作用による接続状態を維持しつつ育成進展用分割水耕栽培液槽１７中の取出側１７Ｓに対して対面状態で玉突き状に押圧されて磁力接続可能な水耕栽培用パネル２０郡全体が整然とした状態で複数列でもって更に育成進展用分割水耕栽培液槽１７中を取出側１７Ｓに浮遊移動する。
【００９５】
また、同様にして、所定数量からなる先行グル−プの磁力接続可能な水耕栽培用パネル２０郡は、遅れて前記した如くして浮遊された所定数量からなる後続グル−プの磁力接続可能な水耕栽培用パネル２０郡から磁力の作用による接続状態を維持しつつ出荷育成用分割水耕栽培液槽１９中の取出側１９Ｓに対して対面状態で玉突き状に押圧されて磁力接続可能な水耕栽培用パネル２０郡全体が整然とした状態で複数列でもって更に出荷育成用分割水耕栽培液槽１９中の取出側１９Ｓに浮遊移動する。
【００９６】
このため、同時期に投入された磁力接続可能な水耕栽培用パネル２０郡それぞれの構成要素であるパネル部材２１にそれぞれ植付された水耕栽培作物７は、育成進展用分割水耕栽培液槽１７中を取出側１７ｓに浮遊移動しつつ所要の養分を略同程度吸収して同程度に育成され、また、同時期に投入された磁力接続可能な水耕栽培用パネル２０郡それぞれの構成要素であるパネル部材２１にそれぞれ植付された水耕栽培作物７は、出荷育成用分割水耕栽培液槽１９中を取出側１９ｓに浮遊移動しつつ所要の養分を吸収し略同時に出荷可能な大きさに育成される。
【図面の簡単な説明】
【００９７】
【図１】請求項（１）の発明の一実施例に係る磁力接続可能な水耕栽培用パネルを示した一部切断平面図である
【図２】同実施例に係る磁力接続可能な水耕栽培用パネルを示した側面図である
【図３】同実施例に係る磁力接続可能な水耕栽培用パネルを示した底面図である
【図４】磁力接続可能な水耕栽培用パネルの浮遊移動が実行される水耕栽培液槽を示した一部省略平面図である。
【図５】前後に隣接する請求項（１）の発明の一実施例に係る磁力接続可能な水耕栽培用パネルが磁力の作用により磁力接続するプロセスを示した模式図である。
【図６】請求項（２）の発明の一実施例に係る磁力接続可能な水耕栽培用パネルを示した一部切断平面図である
【図７】同実施例に係る磁力接続可能な水耕栽培用パネルを示した側面図である
【図８】同実施例に係る磁力接続可能な水耕栽培用パネルを示した底面図である
【図９】前後位置と左右位置間において隣接する請求項（２）の発明の一実施例に係る磁力接続可能な水耕栽培用パネルが磁力の作用により互いに磁力接続するプロセスを示した模式図である。
【図１０】従来の一般的に使用される水耕栽培用パネルを示した平面図である
【図１１】従来の一般的に使用される水耕栽培用パネルを示した側面図である
【図１２】押圧力作用によるパネルの浮遊移動が実行される水耕栽培液槽を示した一部省略平面図である。
【図１３】牽引力作用によるパネルの浮遊移動が実行される水耕栽培液槽を示した一部省略平面図である。
【符号の説明】
【００９８】
１    請求項（１）の発明の一実施例に係る磁力接続可能な水耕栽培用パネル
３    パネル部材
５    挿入・閉込め部材収容穴
７    水耕栽培作物
９    収容空間
１１  マグネット
１３  挿入・閉込め部材
２０  請求項（２）の発明の一実施例に係る磁力接続可能な水耕栽培用パネル
２１  パネル部材
２５  短辺マグネット
２７  短辺側収容空間
２９  長辺マグネット
３１  長辺側収容空間
３３  挿入・閉込め部材
【図１】
2007110934.tif 000003
【図２】
2007110934.tif 000004
【図３】
2007110934.tif 000005
【図４】
2007110934.tif 000006
【図５】
2007110934.tif 000007
【図６】
2007110934.tif 000008
【図７】
2007110934.tif 000009
【図８】
2007110934.tif 000010
【図９】
2007110934.tif 000011
【図１０】
2007110934.tif 000012
【図１１】
2007110934.tif 000013
【図１２】
2007110934.tif 000014
【図１３】
2007110934.tif 000015